(57)【要約】【課題】ポケットやベルトあるいは棚など、厚さの異なるところに自由に引掛けることのできるカートンを提供する。【解決手段】カートンの背面板に、切り込みにより上部をヒンジ部とした下向きの係止舌片を設け、係止舌片に上下方向に向かう山折線を設けたことを特徴とする。更に切り込みから下方向に向かう谷折線を設けたことを特徴とする。また、係止舌片より上方のカートン上部を、切り取るための切断帯を設けたことを特徴とする。【選択図】図１
2012218796.tif 000002
【特許請求の範囲】
【請求項１】
カートンの背面板に、切り込みにより上部をヒンジ部とした下向きの係止舌片を設け、該係止舌片に上下方向に向かう山折線を設けたことを特徴とするカートン。
【請求項２】
前記切り込みから下方向に向かう谷折線を設けたことを特徴とする請求項１に記載のカートン。
【請求項３】
前記係止舌片より上方のカートン上部を、切り取るための切断帯を設けたことを特徴とする請求項１または２に記載のカートン。
【発明の詳細な説明】
【技術分野】
【０００１】
本発明は、カートンに関するものである。
【背景技術】
【０００２】
チョコレートのカートンのように、複数の個装された商品を集積して包装したカートンがあるが、このカートンを携帯する場合、ポケットに入れて持ち歩くこともできるが、ポケットに入れるとポケットが膨らんでしまい、見栄えが悪かったり、又は、ポケットに入らなかったりする場合がある。
【０００３】
このような時、カートンをポケットに引掛けたり、あるいはズボンのベルトなどに引掛けたりして、持ち歩くことができると便利である。また、室内で棚などに引掛けて置いておけると、探すのが容易である。
【０００４】
引掛けることのできるカートンとしては、図６のような、背面板３を上方に延長して、延長部分を二つ折りにして、二つ折りした外側の背面板３にＵ字状切れ線により係止舌片７を設け、台紙に設けた複数の吊下げ孔に引掛けて展示する吊下販売用カートン２００がある（特許文献１）。
【０００５】
また、図７のように、背面板３に鉤状切り込みを設けて、鉤状切り込みを起こしたときにフック７１を形成するようにして、商品展示棚の先端の凸状部にフック７１を引掛けるようにした商品ケース３００がある（特許文献２）。
公知文献を以下に示す。
【先行技術文献】
【特許文献】
【０００６】
【特許文献１】特開平７−１３７７３５号公報
【特許文献２】特開２００２−２６８５号公報
【発明の概要】
【発明が解決しようとする課題】
【０００７】
前述の吊下販売用カートンや商品ケースは特定のところに引掛けることを前提にしてあり、ポケットやベルトあるいは棚などと厚さの異なるところに自由に引掛けることには不向きであった。
【０００８】
本発明は上記した事情に鑑みてなされたもので、厚さの異なるところに自由に引掛けることのできるカートンを提供することを課題としている。
【課題を解決するための手段】
【０００９】
本発明の請求項１に係る発明は、カートンの背面板に、切り込みにより上部をヒンジ部とした下向きの係止舌片を設け、該係止舌片に上下方向に向かう山折線を設けたことを特徴とするカートンである。
【００１０】
本発明のカートンは、以上のような構成であって、係止舌片に上下方向に向かう山折線を設けてあるので、係止舌片が外側に開きやすく、厚さの異なるところに自由に引掛けることができる。
【００１１】
本発明の請求項２に係る発明は、前記切り込みから下方向に向かう谷折線を設けたこと
を特徴とする請求項１に記載のカートンである。
【００１２】
本発明のカートンは、更に係止舌片の切り込みから下方向に向かう谷折線を設けてあるので、係止舌片と係止舌片より下方の背面板が離れて、より厚さの異なるところに自由に引掛けることができる。
【００１３】
本発明の請求項３に係る発明は、前記係止舌片より上方のカートン上部を、切り取るための切断帯を設けたことを特徴とする請求項１または２に記載のカートンである。
【００１４】
本発明のカートンは、係止舌片より上方のカートン上部を、切り取るための切断帯を設けてあるので、カートン上部を切り取った状態で、引掛けることができる。
【発明の効果】
【００１５】
本発明のカートンは、厚さの異なるところに自由に引掛けることができる。
【図面の簡単な説明】
【００１６】
【図１】本発明のカートンの一例を背面側から斜視した説明図である。
【図２】（Ａ）本発明のカートンの一例の正面図である。（Ｂ）本発明のカートンの一例の背面図である。（Ｃ）本発明のカートンの一例の左側面図である。（Ｄ）本発明のカートンの一例の平面図である。
【図３】本発明のカートンの一例のブランクの平面図である。
【図４】本発明のカートンの一例を開封した状態を示す説明図である。
【図５】本発明のカートンの一例を開封し、山折線、谷折線を折り曲げた状態を示す左側面から見た説明図である。
【図６】従来のカートンの一例を背面側から斜視した説明図である。
【図７】従来のカートンの他の例を背面側から斜視した説明図である。
【発明を実施するための形態】
【００１７】
以下本発明を実施するための形態につき説明する。
図１は、本発明のカートンの一例を背面側から斜視した説明図、図２（Ａ）は、本発明のカートンの一例の正面図、（Ｂ）は、本発明のカートンの一例の背面図、（Ｃ）は、本発明のカートンの一例の左側面図、（Ｄ）は、本発明のカートンの一例の平面図である。右側面図は左側面図と対称、底面図は平面図の対称であるので省略する。
【００１８】
本例のカートン１００は、正面板１、左側面板２、背面板３、右側面板４が連設された筒状の上端に天面板５が設けられ、筒状の下端に底面板６が設けられている。
【００１９】
そして、背面板３には、切り込み７ａにより、上部をヒンジ部とした下向きの係止舌片７が設けられている。更に、係止舌片７には、上下方向に向かう山折線８が設けられ、また、係止舌片７の切り込み７ａから下方向に向かう谷折線９が設けられている。
【００２０】
背面板３に設けられた係止舌片７の上方には、２本の切り取り線１０ａ、１０ｂにより、切断帯１０が、カートン上部を切り取り開封できるように設けられている。２本のうちの下側の切り取り線１０ｂは正面板１では、背面板３での位置より低くなっていて、係止舌片７の上部より低くなっている。このように正面板１で切り取り線１０ｂを低く設けているのは、開封したときに、カートン１００の中の商品を取り出しやすくするためである。
【００２１】
本発明のカートンに用いる材料には、厚紙、プラスチックシートなどのシート状材料が使用できる。厚紙としては、ある程度腰のあるものであれば特に限定されない。また表面
にアルミ蒸着層のあるアルミ蒸着紙なども使用できる。
【００２２】
係止舌片７を形成する切り込み７ａは、連続して切れていても良いが、流通時などを考慮して、繋ぎ部を設けて断続した切れ込みとしてもよい。また、切断帯１０を構成する切り取り線１０ａ、１０ｂは、図１、図２のように、繋ぎ部を介して断続する小切り取り線を複数並べて、小切り取り線の切断方向上流側が、片側も若くは両側に開いているよう形成することが好ましい。
【００２３】
山折線８と谷折線９は、カートン１００のブランクを打ち抜く前や後、あるいは打ち抜きと同時に設ける。山折線８は、カートンの内側になる側から押圧して押罫として、設けることができる。また、谷折線９は、カートンの外側になる側から押圧して押罫として、設けることができる。
【００２４】
図３は、本発明のカートンの一例のブランクの平面図である。
【００２５】
このカートン１００は、前述のシート状材料に必要に応じて印刷をして、山折線８や谷折線９、そのほかの折罫線を設け、切り込み７ａ、切り取り線１０ａ、１０ｂを切れ刃により設け、打ち抜いてブランク１０１を作成する。
【００２６】
本例のカートンのブランクは、図３のように、背面板３、右側面板４、正面板１、左側面板２が連設されていて、背面板３の左側には、接着板１１が連設されている。また、正面板１の上下には、天面板５と底面板６がそれぞれ連設されている。
【００２７】
また、背面板３の上下には、天井板１２と床面板１３がそれぞれ連設され、右側面板４と左側面板２の上下には、フラップ１４ａ、１４ｂ、１４ｃ、１４ｄがそれぞれに設けられている。
【００２８】
背面板３には、切り込み７ａにより、上部をヒンジ部とした下向きの係止舌片７が設けられている。更に、係止舌片７には、上下方向に向かう山折線８が設けられ、また、係止舌片７の切り込み７ａから下方向に向かう谷折線９が設けられている。
【００２９】
背面板３に設けられた係止舌片７の上方には、２本の切り取り線１０ａ、１０ｂにより、切断帯１０が設けられている。２本のうちの下側の切り取り線１０ｂは正面板１では、背面板３での位置より下になっていて、係止舌片７の上部より低くなっている。
【００３０】
このため、右側面板４と左側面板２の切り取り線１０ｂは、正面板１と背面板３のそれぞれの切り取り線１０ｂを結ぶように斜めに設けられている。また、接着板１１と背面板３の境界には、２本の切り取り線１０ａ、１０ｂを結ぶ、開封きっかけとなる、切れ線１５が設けられている。
【００３１】
また、製函時に、接着板１１と左側面板２は重ねあわされて接着するので、重ね合わせたときの左側面板２の切り取り線１０ａ、１０ｂの位置に合わせて、接着板１１にも切り取り線１０ａ、１０ｂを延設している。
【００３２】
このブランク１０１を組み立てて、カートン１００にするには、まず、接着板１１、背面板３、右側面板４、正面板１、左側面板２のそれぞれの境界を山折して、接着板１１の外面を左側面板２の内面に接着して、筒状にする。
【００３３】
フラップ１４ａ、１４ｂ、１４ｃ、１４ｄを内方に折り曲げ、天井板１２を折り曲げ、天井板１２に重なるように、天面板５を折って、天井板１２に天面板５を接着する。また
、底側でも、床面板１３を折り曲げ、床面板１３に重なるように、底面板６を折って、床面板１３に底面板６を接着する。
【００３４】
以上のようにして、カートン１００が組み立てられる。
【００３５】
図４は、本発明のカートンの一例を開封した状態を示す説明図である。
【００３６】
カートン１００を開封するには、切れ線１５から指で引っ張って、切り取り線１０ａ、１０ｂを切断して、切断帯１０を切り取る。これによって、図４のように、カートン１００は、切断帯１０の部分と、その上下の部分の３つに分かれて開封される。
【００３７】
図５は、本発明のカートンの一例を開封し、山折線、谷折線を折り曲げた状態を示す左側面から見た説明図である。
【００３８】
この開封したカートン１００をポケットやベルトあるいは棚などに引掛けるには、切り込み７ａに繋ぎ部があれば、繋ぎ部を切断して、連続した切れ込みとし、切り込み７ａに囲まれた係止舌片７を外側に曲げると、山折線８と谷折線９が折れて、係止舌片７が、係止舌片７の下の背面板３とが大きく離れ、厚さの厚いところでも引掛けることができるようになる。
【００３９】
このように、カートン１００は、厚さの厚いところに引掛ける場合にも、大きく係止舌片７と係止舌片７の下の背面板３との間を離すことができるので、容易に引掛けることができ、また、薄いところに引掛けるときは、山折線８と谷折線９の折れが戻るので、引掛けた状態が安定する。このように、本発明のカートン１００は、厚さの異なるところに自由に引掛けることができる。
【符号の説明】
【００４０】
１００・・・カートン
１０１・・・ブランク
２００・・・吊下販売用カートン
３００・・・商品ケース
１・・・正面板
２・・・左側面板
３・・・背面板
４・・・右側面板
５・・・天面板
６・・・底面板
７ａ・・・切り込み
７・・・係止舌片
８・・・山折線
９・・・谷折線
１０ａ、１０ｂ・・・切り取り線
１０・・・切断帯
１１・・・接着板
１２・・・天井板
１３・・・床面板
１４ａ、１４ｂ、１４ｃ、１４ｄ・・・フラップ
１５・・・切れ線
７１・・・フック
【図１】
2012218796.tif 000003
【図２】
2012218796.tif 000004
【図３】
2012218796.tif 000005
【図４】
2012218796.tif 000006
【図５】
2012218796.tif 000007
【図６】
2012218796.tif 000008
【図７】
2012218796.tif 000009